(57)【要約】【課題】  使用する紫外線吸収剤を低減させる印刷装置と印刷方法を提供する。【解決手段】  ステップＳ１００では、印刷データを入力し、ステップＳ１０２では、同印刷データに基づいてインク領域を生成し、ステップＳ１０４では、非インク領域を生成する。記録媒体上におけるインク領域以外の領域が非インク領域である。紫外線吸収剤領域生成部１５は、印刷データに基づいてインク領域を特定した後、記録媒体の全面からインク領域を除いた領域を非インク領域として特定する。ステップＳ１０６では、ヘッド制御部１３を介して非インク領域に紫外線吸収剤を吐出させることができるように、非インク領域に対する紫外線吸収剤吐出データを生成し、ステップＳ１０８にて、紫外線吸収剤吐出データをヘッド制御部１３へ出力する。【選択図】  図３
2020121446.tif 000002
【特許請求の範囲】
【請求項１】
記録媒体に紫外線硬化型インクを吐出する第１ノズル列と、
前記記録媒体に紫外線吸収剤を吐出する第２ノズル列と、
前記記録媒体に紫外線を照射する紫外線照射部と、
前記第１ノズル列と前記第２ノズル列による吐出を制御する吐出制御部とを備える印刷装置であって、
前記第１ノズル列で前記紫外線硬化型インクを吐出する領域を第１領域とし、当該第１領域を除く領域を第２領域とすると、前記吐出制御部は、前記第１領域と前記第２領域とで、前記第２ノズル列で前記紫外線吸収剤を吐出する量を異ならせることを特徴とする印刷装置。
【請求項２】
前記吐出制御部は、前記記録媒体が吸収性の材質である場合の方が前記記録媒体が非吸収性の材質である場合よりも、前記第２ノズル列で吐出する量を少なくすることを特徴とする請求項１に記載の印刷装置。
【請求項３】
記録媒体にプライマリー剤を吐出する第３ノズル列を有し、
前記吐出制御部は、前記第３ノズル列による吐出を制御し、
前記第２ノズル列で前記紫外線吸収剤を吐出する量を前記第３ノズル列による吐出量に応じて変化させることを特徴とする請求項１または請求項２に記載の印刷装置。
【請求項４】
前記第２ノズル列は記録媒体に紫外線吸収剤とプライマリー剤とを吐出し、
前記吐出制御部は、前記第１領域と前記第２領域とで、前記第２ノズル列で前記紫外線吸収剤と前記プライマリー剤とを吐出する量を異ならせることを特徴とする請求項１または請求項２に記載の印刷装置。
【請求項５】
第１ノズル列で記録媒体に紫外線硬化型インクを吐出し、第２ノズル列で前記記録媒体に紫外線吸収剤を吐出し、紫外線照射部で前記記録媒体に紫外線を照射する印刷装置の印刷方法であって、
前記紫外線硬化型インクを吐出する領域を第１領域とし、当該第１領域を除く領域を第２領域とすると、前記第１領域と前記第２領域とで、前記紫外線吸収剤を吐出する量を異ならせることを特徴とする印刷方法。
【請求項６】
前記記録媒体が吸収性の材質である場合の方が前記記録媒体が非吸収性の材質である場合よりも、前記紫外線吸収剤を吐出する量を少なくすることを特徴とする請求項５に記載の印刷方法。
【請求項７】
前記記録媒体にプライマリー剤を吐出する第３ノズル列を有し、
前記紫外線吸収剤を吐出する量を前記プライマリー剤の吐出量に応じて変化させることを特徴とする請求項５または請求項６に記載の印刷方法。
【請求項８】
前記第２ノズル列は記録媒体に紫外線吸収剤とプライマリー剤とを吐出し、
前記第１領域と前記第２領域とで、前記第２ノズル列で前記紫外線吸収剤と前記プライマリー剤とを吐出する量を異ならせることを特徴とする請求項５または請求項６に記載の印刷方法。
【発明の詳細な説明】
【技術分野】
【０００１】
本発明は、印刷装置および印刷方法に関し、特に、紫外線硬化型インクを吐出する印刷装置および印刷方法に関する。
【背景技術】
【０００２】
紫外線硬化型インクを吐出後、紫外線光を照射して硬化定着させる印刷装置が知られている。しかし、紫外線光の照射時に紫外線硬化型インクが塗布されていない領域では、反射光が散乱する。散乱光がインクヘッドの吐出ノズルに到達すると、ノズル付近に付着している紫外線硬化型インクが固形化し、ノズルに入り込んで同ノズルが詰まる原因となる。
そこで、特許文献１が開示する技術では、記録媒体である鏡の表面の全面に紫外線吸収剤を塗布して紫外線吸収層を形成している。すると、紫外線光を照射したときに、紫外線硬化型インクが塗布されていない領域にも紫外線吸収剤が塗布されているので散乱光は発生せず、散乱光に起因するノズル詰まりも防止できる。
【先行技術文献】
【特許文献】
【０００３】
【特許文献１】特開２００９−７８５３１号公報
【発明の概要】
【発明が解決しようとする課題】
【０００４】
従来の技術では、記録媒体の全面に紫外線吸収剤を塗布している。しかし、紫外線硬化型インクが塗布される領域では、紫外線硬化型インクによって紫外線が吸収されて散乱光は発生しないので、そもそも不要な散乱光が生じていない。すなわち、紫外線硬化型インクが塗布される領域に塗布する紫外線吸収剤は必ずしも必要ではない。
本発明は、使用する紫外線吸収剤を低減させる印刷装置と印刷方法を提供する。
【課題を解決するための手段】
【０００５】
本発明は、記録媒体に紫外線硬化型インクを吐出する第１ノズル列と、前記記録媒体に紫外線吸収剤を吐出する第２ノズル列と、前記記録媒体に紫外線を照射する紫外線照射部と、前記第１ノズル列と前記第２ノズル列による吐出を制御する吐出制御部とを備える印刷装置であって、前記第１ノズル列で前記紫外線硬化型インクを吐出する領域を第１領域とし、当該第１領域を除く領域を第２領域とすると、前記吐出制御部は、前記第１領域と前記第２領域とで、前記第２ノズル列で前記紫外線吸収剤を吐出する量を異ならせる構成としてある。
【０００６】
また、本発明は、第１ノズル列で記録媒体に紫外線硬化型インクを吐出し、第２ノズル列で前記記録媒体に紫外線吸収剤を吐出し、紫外線照射部で前記記録媒体に紫外線を照射する印刷装置の印刷方法であって、前記紫外線硬化型インクを吐出する領域を第１領域とし、当該第１領域を除く領域を第２領域とすると、前記第１領域と前記第２領域とで、前記紫外線吸収剤を吐出する量を異ならせる構成としてある。
【０００７】
前記構成において、前記紫外線硬化型インクを吐出する領域を第１領域とし、当該第１領域を除く領域を第２領域とすると、前記第１領域と前記第２領域とで、前記第２ノズル列で前記紫外線吸収剤を吐出する量を異ならせる。第１領域では、紫外線硬化型インクを吐出して紫外線光が散乱しないのであるから、紫外線硬化型インクを吐出しない第２領域で吐出する紫外線吸収剤と同量の紫外線吸収剤は第１領域では必要ない。
【０００８】
本発明は、前記紫外線硬化型インクを吐出する領域を第１領域とし、当該第１領域を除く領域を第２領域とでは、前記紫外線吸収剤を吐出する量を異ならせるので、前記紫外線吸収剤を減らすことで使用する紫外線吸収剤を低減させることができる。
【図面の簡単な説明】
【０００９】
【図１】本発明の一実施例にかかる印刷装置のブロック図である。
【図２】同印刷装置のインクヘッド等の配置を示す概略説明図である。
【図３】同印刷装置の制御を示すフローチャートである。
【図４】印刷領域を示す説明図である。
【図５】紫外線硬化型インク以外の吐出領域を示す説明図である。
【図６】変形例にかかる印刷装置の制御を示すフローチャートである。
【図７】同印刷装置のインクヘッド等の配置を示す概略説明図である。
【図８】紫外線吸収剤の吐出領域を示す説明図である。
【図９】プライマリー剤の吐出領域を示す説明図である。
【図１０】変形例にかかる印刷装置の制御を示すフローチャートである。
【図１１】メディア種類ごとに画質改善に必要な塗布量と紫外線吸収剤としてヘッドノズルのインク硬化の防止に必要な塗布量を示す図である。
【図１２】紙（吸収性素材）の塗布量と吐出領域を示す説明図である。
【図１３】フィルム（非吸収性素材）の塗布量と吐出領域を示す説明図である。
【図１４】変形例にかかる印刷装置のブロック図である。
【発明を実施するための形態】
【００１０】
以下、図面にもとづいて本発明の実施形態を説明する。
図１は、本発明の一実施形態にかかる印刷装置をブロック図により示している。
印刷装置であるインクジェットプリンター１０は、ラインヘッド方式のインクジェットプリンターであり、それぞれ紫外線硬化型インクを吐出するシアンインク用ヘッド１１ａ、マゼンタインク用ヘッド１１ｂ、イエローインク用ヘッド１１ｃ、ブラックインク用ヘッド１１ｄを備えている。本インクジェットプリンター１０は、これらの紫外線硬化型インクを吐出する各ヘッドに加えて、紫外線吸収剤である液剤を吐出する紫外線吸収剤用ヘッド１２を備えている。各インク用ヘッド１１ａ〜１１ｄと紫外線吸収剤用ヘッド１２は、ヘッド制御部１３によって所定のノズルごとにインクおよび紫外線吸収剤の吐出を制御されている。
【００１１】
ヘッド制御部１３は、総合制御部１４に接続されている。ここで、ヘッド制御部１３に加えて紫外線吸収剤領域生成部１５が備えられている。紫外線吸収剤領域生成部１５は独立して備えられていても良いし、ヘッド制御部１３か総合制御部１４のいずれかの内部に組み込まれていても良い。
総合制御部１４は、外部機器とのインターフェイスを含み、例えば、外部のＰＣなどから印刷命令を受けて印刷を行う。この印刷命令は、各インクで印刷を行わせる印刷データを含んでおり、インクを吐出する領域をインク領域と呼ぶ。インクが紫外線硬化型インクであれば、紫外線を吸収する性質を有する。従って、インク領域は紫外線を吸収するので紫外線を照射されても紫外線散乱光を発生しない。一方、非インク領域は紫外線を吸収せず、紫外線を照射されれば紫外線散乱光を発生する。紫外線吸収剤領域生成部１５は印刷命令に基づいて非インク領域を生成し、この非インク領域に紫外線吸収剤用ヘッド１２から紫外線吸収剤を吐出させるようにヘッド制御部１３に対して、同紫外線吸収剤用ヘッド１２を駆動させる信号を生成する。
【００１２】
非インク領域に紫外線吸収剤を吐出させるためには、インク領域を特定してから非インク領域を特定し、非インク領域に対する印刷命令を生成するようにしてもよいし、各インク用ヘッド１１ａ〜１１ｄに対するドットの吐出の有無にもとづいて論理演算を行い、いずれのインクも吐出しないドット位置に対応して紫外線吸収剤用ヘッド１２の吐出命令データを生成するようにしてもよい。
【００１３】
紫外線吸収剤用ヘッド１２は、他の各インク用ヘッド１１ａ〜１１ｄと同じ解像度である必要はない。粗密の度合いの異なるノズルを備えるものを使用することも可能である。この場合、非インク領域を埋め、かつ、インク領域を埋めないように紫外線吸収剤を吐出させれば良い。両者の境界については、できるだけ非インク領域を空けてしまわないようにする方が良く、境界を越えてインク領域の側に紫外線吸収剤を吐出しても構わない。
【００１４】
紫外線光源１６は紫外線光を発光する光源であり、記録媒体に向けて紫外線光を照射する。記録媒体にあらかじめ紫外線硬化型インクが吐出されていれば、同紫外線硬化型インクは紫外線光を照射されて硬化する。紫外線光源１６は各インク用ヘッド１１ａ〜１１ｄごとに配置される。これにより、紫外線硬化型インクが吐出された直後に紫外線光を照射されて硬化し、次の紫外線硬化型インクが吐出されてもインクがにじむことはない。紫外線光源１６は総合制御部１４による制御に基づいて紫外線制御部１７によって駆動されて発光する。
【００１５】
記録媒体は給紙機構１８によって駆動される。給紙機構１８はプラテンや駆動モーターや印刷ドラムといった機構によって構成され、総合制御部１４による指示を受けて給紙制御部１９が出力する駆動信号に基づいて駆動される。
ラインヘッド方式の場合は、ヘッドは固定され、給紙機構１８によって記録媒体が駆動される。シリアルヘッド方式の場合は、給紙機構１８に加えてヘッド駆動機構も備えられ、ヘッド駆動機構によってヘッドが記録媒体の給紙方向と交差する方向に駆動される。例えば、給紙機構１８とヘッド機構とによってシリアルヘッドが記録媒体上のＸＹ平面で任意の位置に駆動され、所定の位置でインクおよび紫外線吸収剤を吐出することになる。
【００１６】
このように、各インク用ヘッド１１ａ〜１１ｄは、記録媒体に紫外線硬化型インクを吐出する第１ノズル列に相当し、紫外線吸収剤用ヘッド１２は記録媒体に紫外線吸収剤を吐出する第２ノズル列に相当し、紫外線光源１６と紫外線制御部１７は、前記記録媒体に紫外線を照射する紫外線照射部に相当し、総合制御部１４とヘッド制御部１３と紫外線吸収剤領域生成部１５は、前記第１ノズル列と前記第２ノズル列による吐出を制御する吐出制御部に相当する。
前記第１ノズル列で前記紫外線硬化型インクを吐出する領域はインク領域であり、第１領域が相当する。また、当該第１領域を除く領域は非インク領域であり、第２領域が相当する。そして、前記吐出制御部は、非インク領域である第２領域だけに紫外線吸収剤を吐出させているから、前記第１領域と前記第２領域とでは、前記第２ノズル列で前記紫外線吸収剤を吐出する量を異ならせていることになる。
【００１７】
図２は、同印刷装置のインクヘッド等の配置を示す概略説明図である。
給紙機構１８は印刷ドラム１８ａを備えており、同印刷ドラム１８ａの周面に沿って記録媒体が搬送される。印刷ドラム１８ａの外周面に沿って紫外線吸収剤用ヘッド１２と各インク用ヘッド１１ａ〜１１ｄがそれぞれ吐出面を印刷ドラム１８ａの外周面に向けて配置されている。記録媒体は、印刷ドラム１８ａの外周側であって紫外線吸収剤用ヘッド１２と各インク用ヘッド１１ａ〜１１ｄの吐出面との間を搬送される。記録媒体が給紙される過程で、記録媒体の供給元の方向を上流と呼び、記録媒体が送られていく方向を下流と呼ぶ。
【００１８】
図３は、同印刷装置の制御を示すフローチャートである。
以下に、同フローチャートを参照して本印刷装置が実施する処理について説明する。
ステップＳ１００では、印刷データを入力し、ステップＳ１０２では、同印刷データに基づいてインク領域を生成する。次に、ステップＳ１０４では、非インク領域を生成する。上述したように、記録媒体上におけるインク領域以外の領域が非インク領域である。紫外線吸収剤領域生成部１５は、印刷データに基づいてインク領域を特定した後、記録媒体の全面からインク領域を除いた領域を非インク領域として特定する。なお、記録媒体の大きさにかかわらず、紫外線光源が照射する領域全面からインク領域を除いた領域を非インク領域とするようにしてもよい。紫外線光源が照射する紫外線が吸収されないで散乱するのは、このような領域だからである。
【００１９】
図４は、印刷領域を示す説明図である。
同図に示す三角形および円形の領域を印刷するものとすると、これらの三角形および円形の領域がインク領域である。
図５は、紫外線硬化型インク以外の吐出領域を示す説明図である。
インク領域が特定されたら、このインク領域以外の領域（ハッチングで示す部位）が特定可能となる。そして、このインク領域以外の領域を非インク領域とする。
【００２０】
ステップＳ１０６では、非インク領域に対する紫外線吸収剤吐出データを生成する（インク領域を除外）。非インク領域には紫外線吸収剤を吐出させる必要があるため、ヘッド制御部１３を介して非インク領域に紫外線吸収剤を吐出させることができるように紫外線吸収剤吐出データを生成している。そして、ステップＳ１０８にて、紫外線吸収剤吐出データをヘッド制御部１３へ出力する。なお、インク領域の吐出データ（各インク用ヘッド１１ａ〜１１ｄに対する印刷データ）についても出力しておく。
【００２１】
次に、プライマリー剤を使用する印刷装置について説明する。
紫外線硬化型インクの定着および最終的な画質を改善するためにプライマリー剤を使用する印刷方法が知られている。このプライマリー剤は、画質改善に使用するのに加え、紫外線光を吸収するためにも使用されることがある。まず、プライマリー剤を画質改善に使用する場合について説明する。画質改善に使用する場合は、プライマリー剤はインク領域に吐出し、紫外線吸収剤は、非インク領域に吐出する。
【００２２】
図６は、変形例にかかる印刷装置の制御を示すフローチャートであり、図７は、同印刷装置のインクヘッド等の配置を示す概略説明図である。
プライマリー剤を吐出するプライマリー剤用ヘッド１２ｂは、紫外線吸収剤用ヘッド１２ａと同様に各インク用ヘッド１１ａ〜１１ｄよりも上流に配置しておく。
ステップＳ１２０では、印刷データを入力し、ステップＳ１２２では、同印刷データに基づいてインク領域を生成する。次に、ステップＳ１２４では、非インク領域を生成する。上述したように、記録媒体上におけるインク領域以外の領域が非インク領域である。紫外線吸収剤領域生成部１５は、印刷データに基づいてインク領域を特定した後、記録媒体の全面からインク領域を除いた領域を非インク領域として特定する。なお、紫外線光源が照射する領域全面からインク領域を除いた領域を非インク領域としてもよい。プライマリー剤は画質改善のために使用するので、インク領域に吐出する。
【００２３】
この例では、プライマリー剤を吐出するプライマリー剤用ヘッド１２ｂは、記録媒体にプライマリー剤を吐出する第３ノズル列に相当し、前記吐出制御部は、このプライマリー剤用ヘッド１２ｂである前記第３ノズル列による吐出を制御している。
プライマリー剤は、インク領域に吐出され、紫外線吸収剤はインク領域以外の非インク領域に吐出されるので、前記第２ノズル列で前記紫外線吸収剤を吐出する領域、前記第３ノズル列による吐出がない領域に相当する。従って、前記第２ノズル列で前記紫外線吸収剤を吐出する量は、前記第３ノズル列による吐出量に応じて変化していることになる。
【００２４】
印刷領域が図４に示すものと同様であるとき、同図に示す三角形および円形の領域がインク領域である。
図８は、紫外線吸収剤の吐出領域を示す説明図である。
図５に示すものと同様、インク領域以外の領域（ハッチングで示す部位）が特定可能となる。そして、このインク領域以外の領域（紫外線吸収剤塗布パターン）を非インク領域とする。
【００２５】
図９は、プライマリー剤の吐出領域を示す説明図である。
画質改善のために使用されるプライマリー剤はインク領域に吐出するため、図４に示すインク領域と同じ領域（プライマリー剤塗布パターン）となる。
ステップＳ１２６では、インク領域に対するプライマリー剤吐出データを生成し、ステップＳ１２８では、非インク領域に対する紫外線吸収剤吐出データを生成する。そして、ステップＳ１３０では、ヘッド制御部１３へ各データを出力する。すなわち、インク領域に対しては、各インク用データとプライマリー剤用データを出力し、非インク領域に対しては、紫外線吸収剤用データを出力する。
【００２６】
次に、プライマリー剤を画質改善と紫外線光を吸収するためにも使用する場合について説明する。画質改善に使用する場合は、プライマリー剤は記録媒体の全面に吐出するが、記録媒体の種類と用途に応じて吐出量を変更する。この場合のプライマリー剤には、紫外線吸収剤が添加されることで紫外線吸収剤を兼ねており、紫外線吸収剤を単独で使用することはない。
プライマリー剤は、紫外線吸収剤を兼ねているので、この場合、プライマリー剤用ヘッド１２ｂが、記録媒体に紫外線吸収剤とプライマリー剤とを吐出する第２ノズル列に相当する。
【００２７】
図１０は、変形例にかかる印刷装置の制御を示すフローチャートである。
ステップＳ１４０では、印刷データを入力し、ステップＳ１４２でメディア（記録媒体）種類を判別した後、ステップＳ１４４にてインク領域を生成する。次に、ステップＳ１４６では、非インク領域を生成する。
ステップＳ１４８では、インク領域に対するプライマリー剤の吐出データを生成する。また、ステップＳ１５０では、非インク領域に対するプライマリー剤吐出データ生成する。この場合、メディア種類に応じてプライマリー剤の塗布量を変更する。
【００２８】
図１１は、メディア種類ごとに画質改善に必要な塗布量と紫外線吸収剤としてヘッドノズルのインク硬化の防止に必要な塗布量を示す図である。
メディア種類の一例である基材Ａは紙であり、紙は塗布量に関しては吸収系の素材に分類される。吸収系の素材の場合、画質改善に必要な塗布量は、１．５ｍｌ／ｍ2であり、紫外線吸収剤として必要な塗布量は、１．０ｍｌ／ｍ2である。一方、メディア種類の一例である基材Ｂはフィルムであり、フィルムは塗布量に関しては非吸収系の素材に分類される。非吸収系の素材の場合、画質改善に必要な塗布量は、１．０ｍｌ／ｍ2であり、紫外線吸収剤として必要な塗布量は、１．５ｍｌ／ｍ2である。これらの数値は、メディア種類に応じて適宜決定される値である。メディア種類が異なれば、塗布量の値やメディアに応じた傾向も変わってくる。この実施例においては、メディア種類が異なればその用途に応じて必要な塗布量を変化させている。
【００２９】
このように、インク領域では画質改善として必要であり、非インク領域では紫外線吸収剤として必要であり、それぞれの量が異なる。従って、前記紫外線吸収剤と前記プライマリー剤は、インク領域と非インク領域で共に吐出されるものの、前記吐出制御部は、前記第１領域と前記第２領域とで、前記紫外線吸収剤が添加された前記プライマリー剤を前記第２ノズル列で吐出する量を異ならせていることになる。
また、前記記録媒体が吸収性の材質である場合（１．０ｍｌ／ｍ2）の方が、前記記録媒体が非吸収性の材質である場合（１．５ｍｌ／ｍ2）よりも、紫外線吸収剤として必要な塗布量が少ない。
【００３０】
図１２は、紙（吸収性素材）の塗布量と吐出領域を示す説明図である。
ステップＳ１４２で判別したメディア種類が紙の場合、画質改善に必要な塗布量は、１．５ｍｌ／ｍ2であり、紫外線吸収剤として必要な塗布量は、１．０ｍｌ／ｍ2であるから、画質改善としてインク領域に必要な塗布量は１．５ｍｌ／ｍ2であり、紫外線吸収剤として非インク領域に必要な塗布量は、１．０ｍｌ／ｍ2である。
【００３１】
また、図１３は、フィルム（非吸収性素材）の塗布量と吐出領域を示す説明図である。
ステップＳ１４２で判別したメディア種類がフィルムの場合、画質改善に必要な塗布量は、１．０ｍｌ／ｍ2であり、紫外線吸収剤として必要な塗布量は、１．５ｍｌ／ｍ2であるから、画質改善としてインク領域に必要な塗布量は１．０ｍｌ／ｍ2であり、紫外線吸収剤として非インク領域に必要な塗布量は、１．５ｍｌ／ｍ2である。
【００３２】
塗布領域ごとに塗布量が特定されたら、ステップＳ１５２にて、全領域のプライマリー剤の吐出データをヘッド制御部１３へ出力する。このように、本実施例では、プライマリー剤を吐出する量を、インク領域と非インク領域とで異ならせるとともに、メディア種類に応じてこれらの吐出量を異ならせている。
このように、前記記録媒体が吸収性の材質である場合の方が前記記録媒体が非吸収性の材質である場合よりも、紫外線吸収剤として吐出する塗布量は少なく、前記吐出制御部によって前記第２ノズル列で吐出する量を少なくしていることになる。
【００３３】
図１４は、変形例にかかる印刷装置のブロック図である。
本実施例のインクジェットプリンター１０は、各インク用ヘッド１１ａ〜１１ｄと紫外線吸収剤用ヘッド１２と、ヘッド制御部１３等を備えている。
本実施例では、印刷データを出力する外部のＰＣ２０がプリンタードライバー２１を備えており、このプリンタードライバー２１は、非インク領域を特定し、紫外線吸収剤吐出データを生成する。また、紫外線吸収剤に変えて、プライマリー剤を画質改善と紫外線吸収のために使用する場合は、紫外線吸収剤用ヘッド１２から紫外線吸収剤を添加したプライマリー剤を吐出し、インク領域と非インク領域で異なるプライマリー剤の塗布量と塗布パターンを決定する。
【００３４】
従って、インクジェットプリンター１０とＰＣ２０とが共同して印刷装置を構成する。
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００３５】
１０…インクジェットプリンター、１１ａ…シアンインク用ヘッド、１１ｂ…マゼンタインク用ヘッド、１１ｃ…イエローインク用ヘッド、１１ｄ…ブラックインク用ヘッド、１２…紫外線吸収剤用ヘッド、１２ａ…紫外線吸収剤用ヘッド、１２ｂ…プライマリー剤用ヘッド、１３…ヘッド制御部、１４…総合制御部、１５…紫外線吸収剤領域生成部、１６…紫外線光源、１７…紫外線制御部、１８…給紙機構、１８ａ…印刷ドラム、１９…給紙制御部、２０…ＰＣ、２１…プリンタードライバー。
【図１】
2020121446.tif 000003
【図２】
2020121446.tif 000004
【図３】
2020121446.tif 000005
【図４】
2020121446.tif 000006
【図５】
2020121446.tif 000007
【図６】
2020121446.tif 000008
【図７】
2020121446.tif 000009
【図８】
2020121446.tif 000010
【図９】
2020121446.tif 000011
【図１０】
2020121446.tif 000012
【図１１】
2020121446.tif 000013
【図１２】
2020121446.tif 000014
【図１３】
2020121446.tif 000015
【図１４】
2020121446.tif 000016